(57)【要約】【課題】  簡便な方法で録画コンテンツをメモリカードにダビングすることができる録画装置を提供する。【解決手段】  オート持ち出し機能が有効の場合、メモリカードが挿入されたことを検出して、メモリカードに記録された条件情報である持ち出しコンテンツ情報を読み出し、読み出された条件情報であるコピー優先度に従い、ＵＳＢ−ＨＤＤから同一タイトルの録画日時のより新しいコンテンツデータが自動的にメモリカードにダビング保存される。なお条件情報は、必ずしもメモリカードに記録されている必要はなく、そのメモリカードと条件情報とを対応づけた管理テーブル情報として録画装置に格納しておいてもよい。その場合は制御部に設けられた不揮発性メモリ等に管理テーブルを格納しておけばよい。  【選択図】図１
2012015801.tif 000002
【特許請求の範囲】
【請求項１】
放送波から受信した複数のコンテンツを格納するコンテンツ格納部と、
メモリカードを挿抜可能とするカードスロットと、
このメモリカードにダビングすべきコンテンツの抽出条件が設定された設定メニューを表示する表示パネルと、
この設定メニューにより設定されたコンテンツ抽出条件情報を記録する記録手段と、
このカードスロットにメモリカードが挿入されたことが検出された場合、このメモリカードに対応する前記コンテンツ抽出条件情報を読み出し、読み出されたコンテンツ抽出条件情報に基づいたコンテンツを、前記コンテンツ格納部から前記メモリカードにダビングする制御部とを有することを特徴とする録画装置。
【請求項２】
前記記録手段は前記コンテンツ抽出条件情報を、前記メモリカードに記録することを特徴とする請求項１記載の録画装置。
【請求項３】
前記記録手段は、前記コンテンツ抽出条件情報を、前記メモリカードと対応づけて記録することを特徴とする請求項１記載の録画装置
【請求項４】
前記コンテンツ抽出条件情報は、チャンネル、番組タイトル、ジャンル、録画日時、コピー回数の情報のうち何れかであることを特徴とする請求項２または請求項３記載の録画装置。
【発明の詳細な説明】
【技術分野】
【０００１】
本発明の実施形態は映像コンテンツを録画することが可能な録画装置に関し、特に録画したコンテンツを、メモリカードなどにダビングすることか可能な録画装置に関する。
【背景技術】
【０００２】
近年の録画装置では、ハードティスクなどに録画したコンテンツをメモリカードにダビングする機能を有している。そしてユーザーはダビングされたコンテンツが記録されたメモリカードを携帯型情報機器にセットすることにより、録画コンテンツを持ち出して外出先で録画コンテンツを楽しむことができる。
【０００３】
この時に、ユーザーは持ち出したいコンテンツをハードディスクに記録されている多数のコンテンツリストから選択して、ダビング指示を行うことにより録画コンテンツの持出しをすることが一般的である。
【先行技術文献】
【特許文献】
【０００４】
【特許文献１】特開２００５−１１００５４号公報（図１）
【発明の概要】
【発明が解決しようとする課題】
【０００５】
しかし、従来の録画装置ではユーザーは持ち出したいコンテンツを録画装置が出力する表示画面を閲覧しながら階層的なメニューを操作してダビングするコンテンツを指定するという手順が必要であった。
【０００６】
従って、多数のコンテンツがユーザー持ち出したいコンテンツを選択する操作が煩雑となっていた。
【０００７】
そこで本発明の目的は上述した課題を解決するため、簡便な方法で録画コンテンツをメモリカードにダビングすることができる録画装置を提供することを目的とするものである。
【課題を解決するための手段】
【０００８】
実施形態によれば、放送波から受信した複数のコンテンツを格納するコンテンツ格納部と、メモリカードを挿抜可能とするカードスロットと、このメモリカードにダビングすべきコンテンツの抽出条件が設定された設定メニューを表示する表示パネルとを有する。またこの設定メニューにより設定されたコンテンツ抽出条件情報を記録し、このカードスロットにメモリカードが挿入されたことが検出された場合、このメモリカードに対応する前記コンテンツ抽出条件情報を読み出し、読み出されたコンテンツ抽出条件情報に基づいたコンテンツを、前記コンテンツ格納部から前記メモリカードにダビングする制御部とを有する録画装置である。
【図面の簡単な説明】
【０００９】
【図１】実施形態のシステム構成の一例を示すブロック図である。
【図２】同実施形態の動作形態を説明するための概念図である。
【図３】同実施形態のダビング動作を説明するための図である。
【図４】同実施形態の動作を説明するためのフローチャートである。
【発明を実施するための形態】
【００１０】
以下、実施の形態について図面を参照して説明する。
【００１１】
図１は実施形態のシステム構成を示すブロック図である。
【００１２】
本実施形態の録画装置１０は、チューナ１１、制御部１２、表示パネル１３、スピーカ１４、入力部１５、ＵＤＢ−ＨＤＤ１６、カードスロット１７、ＳＤカード１８を有する。
【００１３】
チューナ１１は、例えば地上波で送信されるデジタル放送を受信し、特定チャンネルにチューニングして制御部にこのチャネルの放送局から送信される放送データを出力する。制御部１２は録画装置全体の制御を担当するＳｏＣ（Ｓｙｓｔｅｍ Ｏｎ Ｃｈｉｐ）であり、チューナ１１より受信した放送データのデコード処理を行い、表示パネル１３に映像出力するとともに、スピーカ１４に音声出力する。表示パネル１３は、制御部１２から入力された映像コンテンツを表示する。また制御部にて生成されたメニュー画面などのＯＳＤ（オンスクリーンディスプレイ）も表示する。本実施形態ではＯＳＤとして図２、図３に示すようなダビング作業用の画面が表示される。
【００１４】
次に入力部１５は、録画装置１０を操作するための操作指示を行うものであり、例えば録画装置に配置されているボタン類や赤外線通信によるリモートコントローラである。
【００１５】
カードスロット１７は、ＳＤカード１８を装着するためのスロットである。本実施形態ではカードスロット１７にＳＤカード１８が装着された場合、制御部１２はＳＤカードの装着を検出し、ＳＤカード１８に格納されているか録画装置本体に格納されているダビングのための検索条件データを読み出す。そして、制御部１２は検索条件データに基づいたコンテンツをＵＳＢ−ＨＤＤ１６から探し出して、自動的にＳＤカード１８にダビングさせるものである。
【００１６】
このように制御部１２は、録画装置１０全体の動作を担当するために、デコーダ、エンコーダ、カードインタフェース、表示コントローラ、オーディオコントローラ、入力インタフェースなどの各種制御ユニットが設けられている。なお本実施形態では記録手段としてＳＤカードへの記録制御を行うカードインタフェースは制御部１２に含まれる構成としているが、制御部とは別の構成要素として実装することも可能である。  
【００１７】
次に図２を用いて本実施形態の動作形態を説明する。
【００１８】
図２に示すように、本実施形態の録画装置１０はテレビを想定している。そしてこのテレビに接続されたＵＳＢ−ＨＤＤ１６に複数のコンテンツが格納され、テレビ１０のカードスロット１７に挿入されたＳＤカード１８にコンテンツをダビングする動作を行う。この際、図２のような設定メニューにおいて、オート持出機能が有効（する）に設定された場合、ＳＤカード１８を挿入するとＳＤカード１８に格納された設定条件に基づいて、ＵＳＢ−ＨＤＤ１６に格納されたコンテンツが、ＳＤカード１８に自動的にダビングされるものである。なお、図２に示した例ではコピー優先条件として、日時が選択されている状態を表しており、ＵＳＢ−ＨＤＤ１６に格納されたコンテンツのうち記録日時が新しい順に、また挿入されたＳＤカードに記録されているコンテンツのうち最も新しい日時のコンテンツよりもさらに新しい（最近の）日時のコンテンツが自動的に選択されてＳＤカード１８にダビングされるものである。
【００１９】
より具体的にはオート持ち出し機能が有効の場合、ＳＤカード１８が挿入されたことを検出して、ＳＤカードに記録された条件情報である持ち出しコンテンツ情報を読み出し、読み出された条件情報であるコピー優先度に従い、ＵＳＢ−ＨＤＤ１６から同一タイトルの録画日時のより新しいコンテンツデータが自動的にＳＤカードにダビング保存される。なお条件情報は、必ずしもＳＤカードに記録されている必要はなく、そのＳＤカードと条件情報とを対応づけた管理テーブル情報として録画装置に格納しておいてもよい。その場合は制御部１２に設けられた不揮発性メモリ（図示せず）等に管理テーブルを格納しておけばよい。
【００２０】
このようにＳＤカードが挿入されると同時に、そのＳＤカードに格納された条件情報に基づいて自動的にコンテンツが記録されるので、そのＳＤカードを特定のタイトル用ＳＤとして使用するユーザーに対して、便利な手段を提供するすることができる。
【００２１】
また、ＳＤカード１８に保存するタイトルが複数存在する場合、ユーザーが設定したコピー優先度によりその保存されているタイトルから、ユーザーの求めるコンテンツを自動的に集めることができる。
【００２２】
例えば「日時」を選択した場合、コンテンツデータの録画日時が新しいタイトル順をコピーして、最新ニュースなどが取得できる。
【００２３】
また「コピー回数」を選択した場合、ＳＤカード１８へのコピーが多いタイトル順にコピーして、頻繁に視聴するタイトルを集めることができる。
【００２４】
また「ジャンル」を選択した場合、ＳＤカード１８に保存されている多いジャンル順にコピーして、好みのジャンルのタイトルを集めることができる。
【００２５】
また「なし」を選択した場合、ＳＤカード１８に保存されている同一タイトルの最新コンテンツデータを集めることができる。
【００２６】
さらに持ち出したいタイトルコンテンツ情報やユーザー設定情報を保存先をＳＤカード自体にした場合は、同一テレビ機種ならば機能を使用することができ、別のテレビに保存されているコンテンツでもコピーすることができる。
【００２７】
また保存先をＳＤカード毎にＩＤを発行してテレビ本体にした場合は、ＳＤカードに条件情報がないのでＳＤカードを誤って初期化などしても条件情報がテレビ側にあるので失われることは無い。
【００２８】
上述した動作を整理すると本実施形態は以下のような動作例となる。  
つまり図２に示すようにＳＤカード設定画面に「オート持ち出し機能」メニュー設定項目を追加する。
【００２９】
オート持ち出し機能が“する”設定でＳＤカードが挿入されたとき、ＳＤカードに保存されているコンテンツデータの録画日付よりも新しいコンテンツデータがＨＤＤ側に保存されていたら、自動時にコンテンツデータをＳＤ側にコピーする。
【００３０】
また持ち出したいタイトルコンテンツ情報やユーザー設定情報などの条件情報の保存方法は、以下の２通りある。
【００３１】
(1)ＳＤカード自体に保存する
(2)ＳＤカード毎にＩＤを発行してテレビ本体に保存する。保存場所しては制御部１２に存在する不揮発性メモリなどである。
そして、ＳＤカード１８が挿入されると、ＳＤカード自体に保存された条件情報またはテレビ本体に格納された条件情報を参照して、条件情報に基づいたダビング動作が図３に示すような形が行われる。
【００３２】
この時、持ち出したいタイトルコンテンツ情報、ユーザー設定情報には、以下の項目がある。
【００３３】
(1)チャンネル  (2)番組タイトル  (3)ジャンル  (4)録画日時  (5)コピー回数  (6)オート持ち出し機能設定（有効／無効、コピー優先度）
そして、これら条件情報に基づいた条件によって、ＵＳＢ−ＨＤＤ１６に格納されたコンテンツが抽出されＳＤカード１８に自動的にダビングされる。  
さらにＵＳＢ−ＨＤＤ１６に複数タイトルが存在する場合、データをコピーする優先度を以下のように設定できる。  
(1) コンテンツデータの録画日時が新しいタイトル順  （日時）
(2) ＳＤへのコピーが多いタイトル順                （コピー回数）
(3) ＳＤに保存されている多いジャンル順            （ジャンル）
(4) ＳＤより新しい録画日時のタイトル全て          （なし）
このように優先度を設定しておけば、ユーザーが最も視聴したいコンテンツのみがＳＤカード１８にダビングされるので無駄なコンテンツがダビングされる可能性が低くなる。
【００３４】
次に、本実施形態の動作について、図４に示すフローチャートを用いて説明する。
【００３５】
まず、録画装置１０で映像視聴などの各種画面が表示されている状態からスタートする（Ｓ４１）。次にカードスロット１７にＳＤカードが挿入されたかどうかを監視し、制御部１２が、カードスロット１７にＳＤカード１８が挿入されたことを検出した場合（Ｓ４２のｙ）、制御部１２は、オート持出設定が有効であるか否かを判断する（Ｓ４３）。
【００３６】
そして、制御部１２はオート持出設定が有効であると検出した場合には、ＳＤカード１８または録画装置本体に格納された条件情報を読み出して、ＵＳＢ−ＨＤＤ１６に設定条件に合致したタイトル（コンテンツ）が存在するか否かを検索する（Ｓ４４）。
【００３７】
次に条件に合致したタイトル（コンテンツ）が存在する場合（Ｓ４４のｙ）、既にＳＤカード１８に記録されたコンテンツよりも新しいコンテンツがあるか否かを判断し、新しいコンテンツがＵＳＢ−ＨＤＤ１６に録画されている場合’（Ｓ４５のｙ）、制御部１２はこれらのコンテンツをＳＤカード１８にコピー（ダビング）する（Ｓ４６）。そして、最後にＳＤカード１８にコピーしたコンテンツのタイトルリストを表示パネル１３に表示させた終了する（Ｓ４７）。
【００３８】
このように本実施形態においては、ＳＤカード１８がカードスロットに挿入されると同時に、そのＳＤカードに設定された設定条件に合致するコンテンツをＵＳＢ−ＨＤＤか検索して、自動的にコピー（ダビング）するので、ユーザは外出先などでコンテンツを持ち出すことが容易となる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００４０】
１０…録画装置、１１…チューナ、１２…制御部、１３…表示パネル、１４…スピーカ、１５…入力部、１６…ＵＳＢ−ＨＤＤ、１７…カードスロット、１８…ＳＤカード。
【図１】
2012015801.tif 000003
【図２】
2012015801.tif 000004
【図３】
2012015801.tif 000005
【図４】
2012015801.tif 000006